(57)【要約】【課題】コントラスト特性を向上させることができ、プラズマディスプレイパネルを駆動する際に消費電力を低減させることができるプラズマディスプレイ装置を提供する。【解決手段】プラズマディスプレイパネルの周辺の明るさを感知するセンサ部と、前記周辺の明るさに応じて前記プラズマディスプレイパネルを駆動する駆動信号の電圧または個数を調節する制御部とを備える。【選択図】図７
2007122065.tif 000002
【特許請求の範囲】
【請求項１】
プラズマディスプレイパネルの周辺の明るさを感知するセンサ部と、
前記周辺の明るさに応じて前記プラズマディスプレイパネルを駆動する駆動信号の電圧または個数を調節する制御部と
を備えるプラズマディスプレイ装置。
【請求項２】
前記センサ部から伝送された周辺の明るさ感知信号がしきい値以上である場合、前記プラズマディスプレイパネルを駆動する駆動信号の電圧または個数を大きくすることを特徴とする請求項１に記載のプラズマディスプレイ装置。
【請求項３】
前記センサ部から伝送された周辺の明るさ感知信号がしきい値未満である場合、前記プラズマディスプレイパネルを駆動する駆動信号の電圧または個数を小さくすることを特徴とする請求項１に記載のプラズマディスプレイ装置。
【請求項４】
前記駆動信号は、リセット期間の間に前記プラズマディスプレイパネルの電極に印加するリセット信号であることを特徴とする請求項１に記載のプラズマディスプレイ装置。
【請求項５】
前記駆動信号は、サステイン期間の間に前記プラズマディスプレイパネルの電極に印加するサステイン信号であることを特徴とする請求項１に記載のプラズマディスプレイ装置。
【請求項６】
前記駆動信号の電圧または個数は複数のサブフィールドのうちの少なくとも１つ以上のサブフィールドにおいて大きくすることを特徴とする請求項１に記載のプラズマディスプレイ装置。
【請求項７】
前記センサ部は、複数であることを特徴とする請求項１に記載のプラズマディスプレイ装置。
【請求項８】
前記センサ部は、前記プラズマディスプレイパネルの非表示領域に形成されることを特徴とする請求項１に記載のプラズマディスプレイ装置。
【請求項９】
プラズマディスプレイパネル周辺の被写体の動き量を感知する感知部と、
第１基準時間以上の間に、前記被写体の動き量がない場合、前記プラズマディスプレイパネルの映像が示されないようにサスペンドモードに転換し、
前記被写体の動き量がある場合、前記プラズマディスプレイパネルの映像を示すように映像モードに転換する制御部と
を備えるプラズマディスプレイ装置。
【請求項１０】
前記被写体の動き量は、前記被写体の階調変化量または前記被写体の動きベクトル量であることを特徴とする請求項９に記載のプラズマディスプレイ装置。
【請求項１１】
第２基準時間以上の間に、前記被写体の動き量がない場合、前記プラズマディスプレイパネルの映像がスタンバイモードに転換されることを特徴とする請求項９に記載のプラズマディスプレイ装置。
【請求項１２】
前記サスペンドモードは、前記プラズマディスプレイパネルの電極にデータ信号が印加されないことを特徴とする請求項９に記載のプラズマディスプレイ装置。
【請求項１３】
前記サスペンドモードは、前記プラズマディスプレイパネルの電極にサステイン信号が印加されないことを特徴とする請求項９に記載のプラズマディスプレイ装置。
【請求項１４】
前記感知部は、前記被写体を撮影するためのカメラであることを特徴とする請求項９に記載のプラズマディスプレイ装置。
【請求項１５】
前記カメラは、前記撮影した映像を格納するための映像メモリ部を備えることを特徴とする請求項１４に記載のプラズマディスプレイ装置。
【請求項１６】
前記感知部は、前記プラズマディスプレイパネルの非表示領域に複数形成されることを特徴とする請求項９に記載のプラズマディスプレイ装置。
【請求項１７】
プラズマディスプレイパネル周辺の被写体の動き量を感知する感知部と、
第１基準時間以上の間に、前記被写体の動き量がない場合、前記プラズマディスプレイパネルの映像が示されないようにスタンバイモードに転換する制御部と
を備えるプラズマディスプレイ装置。
【請求項１８】
前記スタンバイモードは、前記プラズマディスプレイパネルの周辺被写体の動き量がある場合、映像が表示されるモードであることを特徴とする請求項１７に記載のプラズマディスプレイ装置。
【請求項１９】
前記スタンバイモードは、前記プラズマディスプレイパネルの電極にデータ信号が印加されないことを特徴とする請求項１７に記載のプラズマディスプレイ装置。
【請求項２０】
前記感知部は、前記プラズマディスプレイパネルの非表示領域に複数形成されることを特徴とする請求項１７に記載のプラズマディスプレイ装置。
【発明の詳細な説明】
【技術分野】
【０００１】
本発明は、プラズマディスプレイ装置に関する。
【背景技術】
【０００２】
一般に、プラズマディスプレイパネルは、上部基板と下部基板との間に形成された隔壁が１つの単位セルをなすものであって、各セル内には、ネオン（Ｎｅ）、ヘリウム（Ｈｅ）、またはネオン及びヘリウムの混合気体（Ｎｅ＋Ｈｅ）のような主放電気体と少量のキセノンとを含有する不活性ガスが充填されている。高周波電圧により放電されるとき、不活性ガスは、真空紫外線（Ｖａｃｕｕｍ  Ｕｌｔｒａｖｉｏｌｅｔ  ｒａｙ）を発生し、隔壁の間に形成された蛍光体を発光させることにより、画像が具現される。このようなプラズマディスプレイパネルは、薄くて軽い構成が可能なため、次世代表示装置として注目されつつある。
【発明の開示】
【発明が解決しようとする課題】
【０００３】
本発明は、上述の問題点に鑑みてなされたもので、その目的は、コントラスト特性を向上させることができるプラズマディスプレイ装置を提供することにある。
【０００４】
また、本発明の他の目的は、プラズマディスプレイパネルを駆動する際に消費電力を低減させ得るプラズマディスプレイ装置を提供することにある。
【課題を解決するための手段】
【０００５】
上記の目的を達成すべく、本発明の一実施の形態に係るプラズマディスプレイ装置は、プラズマディスプレイパネルの周辺の明るさを感知するセンサ部と、周辺の明るさに応じて前記プラズマディスプレイパネルを駆動する駆動信号の電圧または個数を調節する制御部とを備える。
【０００６】
実施の形態は、以下の少なくとも1つ以上の特徴を含むことができる。例えば、センサ部から伝送された周辺の明るさ感知信号がしきい値以上である場合、前記プラズマディスプレイパネルを駆動する駆動信号の電圧または個数を大きくすることができる。
【０００７】
センサ部から伝送された周辺の明るさ感知信号がしきい値未満である場合、前記プラズマディスプレイパネルを駆動する駆動信号の電圧または個数を小さくすることができる。
【０００８】
駆動信号は、リセット期間の間に前記プラズマディスプレイパネルの電極に印加するリセット信号であり得る。
【０００９】
前記駆動信号は、サステイン期間の間に前記プラズマディスプレイパネルの電極に印加するサステイン信号であり得る。
【００１０】
前記駆動信号の電圧または個数は、複数のサブフィールドのうちの少なくとも１つ以上のサブフィールドにおいて大きくなることができる。
【００１１】
上記の目的を達成すべく、本発明の他の一実施の形態に係るプラズマディスプレイ装置は、プラズマディスプレイパネル周辺の被写体の動き量を感知する感知部と、第１基準時間以上の間に、前記被写体の動き量がない場合、前記プラズマディスプレイパネルの映像が示されないようにサスペンドモードに転換し、前記被写体の動き量がある場合、前記プラズマディスプレイパネルの映像を示すように映像モードに転換する制御部とを備える。
【００１２】
実施の形態は、以下の少なくとも1つ以上の特徴を含むことができる。例えば、前記被写体の動き量は、前記被写体の階調変化量または前記被写体の動きベクトル量であり得る。
【００１３】
第２基準時間以上の間に、前記被写体の動き量がない場合、前記プラズマディスプレイパネルの映像がスタンバイモードに転換されることができる。
【００１４】
サスペンドモードは、前記プラズマディスプレイパネルの電極にデータ信号が印加されないことができる。
【００１５】
サスペンドモードが、前記プラズマディスプレイパネルの電極にサステイン信号が印加されないことができる。
【００１６】
感知部は、前記被写体を撮影するためのカメラであり得る。
【００１７】
撮影した映像を格納するための映像メモリ部をさらに備えることができる。
【００１８】
感知部は、前記プラズマディスプレイパネルの非表示領域に複数形成されることができる。
【００１９】
上記の目的を達成すべく、本発明のさらに他の一実施の形態に係るプラズマディスプレイ装置は、プラズマディスプレイパネル周辺の被写体の動き量を感知する感知部と、第１基準時間以上の間に、前記被写体の動き量がない場合、前記プラズマディスプレイパネルの映像が示されないようにスタンバイモードに転換する制御部とを備える。
【００２０】
実施の形態は、以下の少なくとも1つ以上の特徴を含むことができる。例えば、スタンバイモードは、前記プラズマディスプレイパネルの周辺被写体の動き量がある場合、映像が表示される条件であり得る。
【００２１】
スタンバイモードは、前記プラズマディスプレイパネルの電極にデータ信号が印加されないことができる。
【００２２】
上述した説明は、全て例示的かつ説明的なものであり、請求された発明を説明するために提供されるものと理解すべきである。
【発明の効果】
【００２３】
本発明のプラズマディスプレイ装置によれば、コントラスト特性を向上させることができる。
【００２４】
また、本発明のプラズマディスプレイ装置によれば、プラズマディスプレイパネルを駆動する際に消費電力を低減させることができる。
【発明を実施するための最良の形態】
【００２５】
以下、本発明の好ましい実施の形態を、添付図面に基づき詳細に説明する。
【００２６】
図１は、本発明の第１の実施の形態に係るプラズマディスプレイ装置の構成を示した概略図であり、図２は、図１のプラズマディスプレイパネルを概略的に示した図であり、図３は、図１のプラズマディスプレイパネルの駆動方法を説明するための図である。
【００２７】
同図に示すように、本発明の第１の実施の形態に係るプラズマディスプレイ装置は、映像が表示されるプラズマディスプレイパネル（ＰＤＰ）とプラズマディスプレイパネルの所定電極に駆動信号を印加するための複数の駆動部２０、２１、２３と、プラズマディスプレイパネルの周辺の明るさを感知するセンサ部３００と、センサ部から伝送された感知信号に応じて複数の駆動部を制御して、プラズマディスプレイパネルの映像の明るさを調節する制御部２００とで構成する。
【００２８】
図２に示すように、プラズマディスプレイパネルは、画像がディスプレイされる表示面である前面基板１００及び背面をなす後面基板１１０が一定の距離を隔てて平行に結合される。
【００２９】
前面基板１００は、１つの放電セルで相互放電させ、セルの発光を維持するためのスキャン電極１０１（Ｙ電極）及びサステイン電極１０２（Ｚ電極）、すなわち透明なＩＴＯ物質で形成された透明電極ａと金属材質で製作されたバス電極（ｂ）で備えられたＹ電極１０１及びＺ電極１０２が対をなして形成される。Ｙ電極１０１及びＺ電極１０２は、放電電流を制限し、電極対間を絶縁させる１つ以上の誘電体層１０３により覆われ、誘電体層１０３の表面には、放電条件を容易にするために酸化マグネシウム（ＭｇＯ）を蒸着した保護層１０４が形成される。
【００３０】
後面基板１１０は、複数の放電空間、すなわち、放電セルを形成させるためのストライプタイプ（またはウェルタイプ）の隔壁１１１が平行を維持して配列される。また、アドレス放電を行って真空紫外線を発生させる複数のアドレス電極１１２（Ｘ電極）が隔壁１１１に対し平行に配置される。後面基板１１０の上側面には、アドレス放電の際に画像表示のための可視光線を放出するＲ、Ｇ、Ｂ蛍光体１１３が塗布される。アドレス電極１１２及び蛍光体１１３の間には、アドレス電極１１２を保護し、また、蛍光体１１３から放出される可視光線を前面基板１００に反射させる白色誘電体１１４が形成される。
【００３１】
このような構造を有するプラズマディスプレイパネルは、複数の駆動部（例えば、スキャン駆動部２１、サステイン駆動部２３、データ駆動部２０）により、図３のように、各電極Ｙ、Ｚ、Ｘに駆動信号が印加されて駆動される。
【００３２】
図３に示すように、プラズマディスプレイパネルは、すべてのセルを初期化させるためのリセット区間、放電するセルを選択するためのアドレス区間、選択されたセルの放電を維持させるためのサステイン区間及び放電されたセル内の壁電荷を消去する消去区間に分けられて駆動される。
【００３３】
まず、セットアップ区間とセットダウン区間とからなるリセット区間の間に、Ｙ電極にリセット信号が印加される。このようなリセット信号は、上昇ランプ波形と下降ランプ波形を含む。
【００３４】
セットアップ区間には、すべてのＹ電極に上昇ランプ波形Ｒａｍｐ−ｕｐが同時に印加される。この上昇ランプ波形により、全画面の放電セル内には、弱い暗放電が起きる。このセットアップ放電により、Ｘ電極とＺ電極上には、正極性壁電荷が蓄積され、Ｙ電極上には、負極性の壁電荷が蓄積される。ここで、Ｚ電極は、サステイン電極を意味する。
【００３５】
セットダウン区間には、上昇ランプ波形が供給された後、上昇ランプ波形のピック電圧より低い正極性電圧から低下し始めて、グラウンド（ＧＮＤ）レベル電圧以下の特定電圧レベルまで低下する下降ランプ波形Ｒａｍｐ−ｄｏｗｎがセル内に微弱な消去放電を起こすことによって、Ｙ電極に過度に形成された壁電荷を十分に消去させるようになる。このセットダウン放電により、アドレス放電が安定に起きることができる程度の壁電荷がセル内に均一に残留される。
【００３６】
アドレス区間には、負極性スキャン信号ＳｃａｎがＹ電極に順次加されるとともに、スキャン信号に同期されてＸ電極に正極性のデータ信号が印加される。このスキャン信号とデータ信号との電圧差と、リセット区間において生成された壁電圧とが加算されながら、データ信号が印加される放電セル内には、アドレス放電が発生する。アドレス放電により選択されたセル内には、サステイン電圧Ｖｓが印加される際に放電を起こす程度の壁電荷が形成される。Ｚ電極には、セットダウン区間とアドレス区間との間に、Ｙ電極との電圧差を減らし、Ｙ電極との誤放電がおきないように正極性電圧Ｖｚが供給される。
【００３７】
サステイン区間には、Ｙ電極とＺ電極に交互にサステイン信号Ｓｕｓが印加される。アドレス放電により選択されたセルは、セル内の壁電圧とサステイン信号とが加算されながら、毎サステイン信号が印加される毎に、Ｙ電極とＺ電極との間にサステイン放電、すなわち表示放電がおきる。
【００３８】
サステイン放電が完了した後、消去区間では、パルス幅と電圧レベルが小さな消去ランプ波形Ｒａｍｐ−ｅｒｓの電圧がＺ電極に供給されて、全画面のセル内に残留する壁電荷を消去させるようになる。
【００３９】
図４は、本発明の第１の実施の形態において、プラズマディスプレイパネルの周辺の明るさに応じるプラズマディスプレイ装置の駆動方法を説明するための図である。
【００４０】
同図に示すように、本発明に係るプラズマディスプレイ装置は、まず、センサ部３００でプラズマディスプレイパネルの周辺の明るさを感知し、制御部２００でセンサ部で感知した周辺の明るさに応じて、プラズマディスプレイパネルの電極に印加される駆動信号の電圧や個数を調節する。
【００４１】
この場合、駆動信号は、プラズマディスプレイパネル駆動の際に、各区間の間に放電を起こす全ての駆動信号であり得るが、好ましくは、同図に示すように、リセット期間においてスキャン電極に印加されるリセット信号であるか、またはサステイン期間においてスキャン電極またはサステイン電極に印加されるサステイン信号である。
【００４２】
制御部２００は、同図の（ａ）のように、センサ部が感知したプラズマディスプレイパネルの周辺の明るさが、しきい値以上である場合には、プラズマディスプレイパネルの平均の周辺の明るさの間に、プラズマディスプレイパネルの電極に印加される駆動信号のうち、リセット期間に印加されるリセット信号の電圧よりΔＶ分だけ大きくするか、またはサステイン期間に印加されるサステイン信号ｓｕｓの個数をより大きくする。
【００４３】
また、制御部２００は、同図の（ｂ）のように、センサ部が感知したプラズマディスプレイパネルの周辺の明るさが、しきい値未満である場合、プラズマディスプレイパネルの平均周辺の明るさの間に、プラズマディスプレイパネルの電極に印加される駆動信号のうち、リセット期間において印加されるリセット信号の電圧よりΔＶ分だけ小さくするか、サステイン期間において印加されるサステイン信号の個数より小さくする。
【００４４】
このようにプラズマディスプレイパネルの周辺の明るさに応じて変化される駆動信号の電圧や個数は、プラズマディスプレイパネルの駆動の際に、１フレームを構成する複数のサブフィールドの全てで調節され得るが、少なくとも１つ以上のサブフィールドで調節され得る。
【００４５】
図５は、本発明の第１の実施の形態に係るセンサ部の形成位置を示すための図である。
【００４６】
同図に示すように、プラズマディスプレイパネルは、映像が表示される表示領域３３０と映像が表示されない非表示領域３２０とに区分される。
【００４７】
センサ部３００は非表示領域３２０に形成され、好ましくはプラズマディスプレイパネルのエッジ部分の非表示領域３２０に形成される。
【００４８】
このようなセンサ部は、複数からなることができる。
【００４９】
非表示領域３２０は、プラズマディスプレイパネルの外郭部を保護するためのケースの一部であり得る。
【００５０】
このように、本発明の第１の実施の形態に係るプラズマディスプレイ装置は、センサ部を利用して周辺の明るさに応じて駆動信号の電圧や個数を調節して、コーントラスの特性を向上させることができる。
【００５１】
図６は、本発明の第２の実施の形態に係るプラズマディスプレイ装置の概略的なブロック図である。
【００５２】
同図に示すように、本発明の第２の実施の形態に係るプラズマディスプレイ装置は、映像が表示されるプラズマディスプレイパネル（ＰＤＰ）と、プラズマディスプレイパネル周辺の被写体の動き量を感知する感知部４００と、被写体の動き量に応じて映像を制御する制御部５００とを備える。
【００５３】
プラズマディスプレイパネルは、本発明の第１の実施の形態において説明したプラズマディスプレイパネルと同様なので、これに対する説明は省略する。
【００５４】
また、プラズマディスプレイパネルの駆動方法も、第１の実施の形態で説明したプラズマディスプレイパネルの駆動方法と同様なので、これに対する説明は省略する。
【００５５】
感知部４００は、本発明の第１の実施の形態と同様に、プラズマディスプレイパネルの非表示領域３２０に形成される。好ましくは、感知部は、非表示領域３２０のうち、プラズマディスプレイパネルのエッジ部に形成される。
【００５６】
また、感知部４００は、被写体を撮影するためのカメラであり得る。このような、カメラは複数からなり、撮影した被写体の映像を格納するために、映像メモリ部４１０を備えることができる。
【００５７】
この場合、カメラの感知領域をリモートコントローラ（図示せず）を利用して調節することができる。すなわち、リモートコントローラは、複数のカメラが各々感知領域を異にして、被写体の映像を撮影することができるようにする。
【００５８】
図７は、本発明の第２の実施の形態において、プラズマディスプレイパネルの周辺被写体の動き量に応じるプラズマディスプレイ装置の駆動方法を説明するための図である。
【００５９】
同図に示すように、本発明に係るプラズマディスプレイ装置は、まず、感知部４００でプラズマディスプレイパネルの被写体の動き量を感知して、感知信号を制御部に送信し、制御部２００は、感知部で感知した被写体の動き量信号に応じてプラズマディスプレイパネルの映像を特定モードに転換する。
【００６０】
この場合、感知部４００は、まず被写体の動きの有無をチェックし、被写体の動き量がある場合、動きの時間をチェックする。
【００６１】
その後、制御部５００は、被写体の動き量がない場合、前記プラズマディスプレイパネルの映像が示されないようにするサスペンドモード５１０に転換し、前記被写体の動き量がある場合、前記プラズマディスプレイパネルの映像を示すように映像モード５３０に転換する。
【００６２】
この場合、サスペンドモード５１０は、第１基準時間以上の間に被写体の動き量がない場合、外部から印加される映像信号を処理するが、プラズマディスプレイパネルの電極にデータ信号やサステイン信号が印加されない状態のモードである。
【００６３】
また、サスペンドモード５１０は、第１基準時間以上の間に被写体の動き量がない場合、プラズマディスプレイパネルに最小限の駆動電圧が印加されて駆動されているスタンバイモード５２０状態であり得る。すなわち、スタンバイモードは、プラズマディスプレイパネルの周辺被写体の動き量がある場合、パネルに映像が直ちに表示され得る状態である。具体的には、複数の駆動部（データ駆動部２０、スキャン駆動部２１、サステイン駆動部２３）は駆動せずに、複数の駆動部（２０，２１，２３）を制御する制御部のみ駆動することができる状態に電圧を供給しておくことを意味する。
【００６４】
また、制御部５００は、第２基準時間の間に被写体の動き量がない場合、モードステップを分けてスタンバイモード５２０に転換できる。
【００６５】
この場合、スタンバイモード５２０も、プラズマディスプレイパネルの電極にデータ信号やサステイン信号が印加されない状態のモードである。
【００６６】
被写体の動き量は、多様に表現されることができる。例えば、被写体が動く場合、特定領域において階調変化量が被写体の動き量であり得るし、特定領域において被写体の動きをベクトルで表示するときに現れたベクトル量であり得る。
【００６７】
このように本発明の第２の実施の形態に係るプラズマディスプレイ装置は、周辺の動き量を感知してサスペンドモードまたは映像モードに転換して、消費電力を減らすことができ、また被写体の映像を撮影して格納及びディスプレイし得る多様な機能を有することができる。
【００６８】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００６９】
【図１】本発明の第１の実施の形態に係るプラズマディスプレイ装置の構成を示した概略図である。
【図２】図１のプラズマディスプレイパネルを概略的に示した図である。
【図３】図１のプラズマディスプレイパネルの駆動方法を説明するための図である。
【図４】本発明の第１の実施の形態において、プラズマディスプレイパネルの周辺の明るさに応じるプラズマディスプレイ装置の駆動方法を説明するための図である。
【図５】本発明の第１の実施の形態に係るセンサ部の形成位置を示すための図である。
【図６】本発明の第２の実施の形態に係るプラズマディスプレイ装置の概略的なブロック図である。
【図７】本発明の第２の実施の形態において、プラズマディスプレイパネルの周辺被写体の動き量に応じるプラズマディスプレイ装置の駆動方法を説明するための図である。
【図１】
2007122065.tif 000003
【図２】
2007122065.tif 000004
【図３】
2007122065.tif 000005
【図４】
2007122065.tif 000006
【図５】
2007122065.tif 000007
【図６】
2007122065.tif 000008
【図７】
2007122065.tif 000009